Podtech/llm-jp-corpus-v4-ja_patent huggingface dataset:
(57)【要約】      （修正有）【課題】標識具を床に置いた時人力によらず自重により自動的に開くことにより設置、収納が容易な折り畳み式標識具の提供。【解決手段】固定板状体と可動板状体が自重によってスライドするスライド機能部１を設け、設置時自動的に開く事によって設置時の操作性・作業効率を高めた。さらに光収束補助板４により視認性を高め、小型電池を複数収容する電力供給部６を設けることにより発光部５の照度を上げるとともに長時間の使用を可能とした。【選択図】  図１
2004332518.tif 000002
【特許請求の範囲】
【請求項１】
折りたたみ式標識具において設置に関して標識具を床（地面）に置いた時自重によりスライド機能が働き開き、持ち上げるとスライド部分が戻るので閉じる機能に関する。
【請求項２】
回転する一方の板に発光部材を取付ける際、六角形状の反射色塗装を施した部材を付け加える事で、光束を集め輝度を向上させ視認性を高める。
【請求項３】
標識具の中央に集束した発光部材を取付け、カバーとスイッチを併用させる事で、標識具全体の発光分を増し視認性を高めると共に、操作性を容易にした。
【請求項４】
電力を小型電池に変え複数収納できる構造にする事で、発光部の輝度を上げ長時間の使用が可能になった。
【発明の詳細な説明】
【０００１】本発明は道路、駐車場、工事現場、イベント会場、店頭等に設置され、人又は車両の通行に注意を促す折りたたみ式標識具に関する。
【発明の属する技術分野】
【０００２】設置時に人力にて開放していて手間であるが、設置時に開く事で省力化、作業時間の短縮につながる。
【従来の技術】安全確保や注意を促す標識具が使用されているが、従来のパイロンは設置・収納時に人力により折りたたみを行うため、操作性・作業効率が悪く、開閉回転板の発光部材のみに頼るため、輝度が低く視認性が弱い。大型電池使用の為使用可能時間が短いという問題点もある。
【０００３】このような事情に鑑みて折りたたみ式標識具や標識を発光器具がいくつか提案されているが、設置・収納時に人力が必要、若しくは力を伝えるための構造。発光部材単体の輝度に頼って発光させるに必要な電力を使用している。
【発明が解決しようとする課題】
【０００４】しかしながら上記の折りたたみ式標識具は、設置収納時の開閉に人力を必要とし操作性・作業効率の問題点があり、回転板に取付けられた発光部材単体の輝度にのみ頼るため視認性が極めて低く、発光のみを目的とする電力部構造のための長時間使用できないという問題点もある。
【０００５】本発明は以上の問題に鑑みてなされたものであり、スライド機能を施す事で、操作性や作業効率を上げ、回転板発光部に光集束補助板を取付ける事と、本体中心部にスイッチ併用の発光部材集合体を取付けることで、視認性を高め長時間使用に耐えうる形状構造に変えることを目的とする。
【課題を解決するための手段】
【０００６】本発明は上記の課題を解決するために自重により開閉するスライド機能を設けたことと、回転板発光部に光束をまとめる六角形の板を付け加え、本体中心部にスイッチを併用した発行部材集合体を使った発光部を設け、電力源の構造等を変えることにより操作性・作業効率を上げることと、視認性を高め長時間使用できる形状構造を特徴とする。
【０００７】上記のスライド機能形状によれば自重により開閉が可能である。これにより設置・収納時の操作性・作業効率があがる。
【０００８】また回転板発光部の発光部材の回りに反射色塗装の六角形状の板を加えることで、光の分散を防ぎ光束がまとまる為視認性が高まる。
【０００９】上記形状の他本体中心部に発光部材を集束させ、スイッチ併用の発行部を設けることで、本標識具全体の視認性がある。
【００１０】また電力供給部の構造等で長時間の使用が可能となるため、使用時の電力消費のランニングコストが削減。
【発明の実施の形態】
【００１１】別紙図面に基づいて本発明に係る自動開閉標識具並びに視認性を高める形状構造について説明する。
【００１２】図１は、本発明に係る自動開閉標識具の設置時における全体図である。図１の矢符が示す上下方向をそれぞれ上方、下方と称する。
【００１３】本発明に係るスライド機能は、機能部１とスライド溝２、スライドガイドピン３、光集束補助板４、スイッチ併用発光部５、電力供給部６などから構成される。
【００１４】スライド機能部１には、スライド溝２が切ってあり、開閉時に２に沿って本体がずれながら開き、スライドガイドピン３によって停止する。収納時には開放時の反対の動きとなり閉じる。
【００１５】光集束補助板４により、４の中心にある発光部材の光が集められ分散を防ぐために視認性が上がる。
【００１６】４の中心に使われる発光部材を集束し、本体中心部にスイッチ併用発行部５を設けることで本標識具全体の視認性を高める。
【００１７】電動供給部６の構造により、小型電池を複数収納でき発光部の輝度を上げると共に、消費電力の削減ができ長時間の使用が可能となる。
【発明の効果】
【・・・・】本発明に係る自動開閉折りたたみ式標識具は自重によるスライド機能を持つことで操作性・作業効率が向上し、光集束補助板やスイッチ併用発光部の形成により視認性を高め、電動供給部の構造により消費電力のランニングコストを削減する。
【図面の簡単な説明】
【図１】本発明に係る自動開閉標識具の設置全体図である。
【図２】本発明に係る自動開閉標識具の断面図である。
【符号の説明】
１  スライド機能部
２  スライド溝
３  スライドガイドピン
４  光集束補助板
５  スイッチ併用発光部
６  電力供給部
【図１】
2004332518.tif 000003
【図２】
2004332518.tif 000004
(57)【要約】      （修正有）【課題】既存都市の諸権利を、地下・地上・空中に重層型に分散して、既存建築を跨ぎ空中に新たな街をつくる都市再生手法を提供する。【解決手段】空中建築、該建築を支える建築は、地盤面並びに類する位置に公開空地・防災空地・防災空間を一体的に組込み街区内の特定基準により建設、既存建築・空中建築・それを支える建築それぞれの諸権利をそれぞれに分離・独立・混在に関連付け、街区内の空地・建替えの位置・規模を空中建築の計画に合わせて空間・構造・機能を整備し、既存建築群との上下分棟型重層建築として立体化、・複合化させる。【選択図】なし【特許請求の範囲】
【請求項１】
特定都市街区内の既存建築群と諸権利を跨ぎ、上空に新たな空中建築を建設するために権利者・周辺住民・行政の新たな建築群の空間・構造・機能の評価に基づき合意形成並びに権利調整を計り、既存建築群と上空を跨ぐ空中建築それぞれの諸権利を分解・独立・関連付けて空間・構造・機能を複合させる重層型立体都市街区を形成させる。
空中建築・空中建築を支える建築は、既存建築・都市の各種空間・構造・機能に加え、地盤面並びに類する位置に公開空地・防災空地・防災空間を一体的に組込み街区内の特定基準により建設する。
既存建築・空中建築・それを支える建築それぞれの諸権利を、既存建築・空中建築・支持建築に分離・独立・混在・関連付ける、新たな重層型権利構成を組み合わせ、
空中建築を支える建築は街区内の空地・建替えの位置・規模を空中建築の計画に合わせて空間・構造・機能を整備して空中建築を支え、既存建築群との上・下分棟型重層建築として立体化・既存建築群上空の横断的連続化・複合化をさせると共に、都市の総合的な快適性・安全性・利便性・恒久性・持続性に類する機能と質の向上を高める新たな価値観の都市再生手法。
【請求項２】
請求項１の特定街区内に於いて、既存建築物の建替は街区内の空間・構造・機能に相応しい内容・範囲に整備した特定基準に合わせ、地上・地下建築に規制を加える都市再生手法。
【請求項３】
請求項１並びに２の街区空間に公共の空間・設備を加えた都市空間。
【請求項４】
請求項１の既存建築群並びに請求項２の建替建築群と、空中建築の空間・構造・機能の連続必要性に応じ、その上下それぞれを関連付ける建築を造り、地上と空中の建築・都市機能が一体的に機能する複合化性を高める都市空間。
【請求項５】
請求項１〜４に及ぶ建築郡の地下の諸権利に渡る地下建築空間を造り、地下・地上・空中を分離・独立・関連付ける諸権利と空間・構造・機能の都市空間。
【発明の詳細な説明】
【産業上の利用分野】
本発明は、文化・技術・経済の発展に伴い都市機能と構造を再生させる必要が高まり、社会資本の有効活用が個人・団体・地域に止まらず都市間並びに国家間の人と資本の移動にまで関係を及ぼす時代にあるが、既成都市の構造と機能は様々な諸権利の絡みで分断型に構成され増殖・発展させる社会システムがない。既存の様々な技術並びに法令・権利構成の組み替えから再生手段を新たに構築する必要がある。
【従来の技術】
建築は地上より構築する概念が基本にあり、大きな建築がそれを跨ぐ２重構造の都市づくりは可能な技術であるが、諸権利を地上と空中に区分する考え方が明確でなく、都市再生に活かされない状況にあり、細分化された建築群を跨いで連続的集約をすれば、身近な応用技術で人類が快適・安全・便利になり、地球環境・資源の持続可能な社会構造に再生ができる状況にある。
【発明が解決しようとする課題】
社会システム・都市づくりの法整備や技術の発展過程で生じた権利の私権化と共用性の整合性を欠いた細分化された諸権利が、融合連続性の土地や大気の分断化にまで及び社会システムが硬直化している。既存都市での使用を継続させつつ都市再生を可能にできれば、新たに様々な安全・快適・便利を創れる課題がある。
【課題を解決する手段】
諸権利の構成を宇宙構造に準じた重層構造に転換して、地上建築の諸権利と空中建築の諸権利を分離・独立・混在を明確にできれば、技術とソフトの整合性を高める手段が増加し、技術が活きる資産・国土・経済を連携活用できる。近年の科学の進歩から見られる広い視野と価値観が影響して、様々な社会の価値観と技術にも及び波紋が広がりつつある。
再開発の条件整備次第で法令の見直し用途地域変更や容積倍読み等も可能としている実状からも身近な価値観に広げられる。
特定街区内の既存建築に渡る上空を面的に共用して、都市の安全・快適・便利の効果を整えて、私権に偏った都市空間を新たな都市再生に向けられる。
【作用】
容積が倍読みされて空中建築に参加しない権利者は空中部分の権利を売却しても既存建築を継続使用も可能であり、都市の累積された社会インフラや都市文化・人的資産・都市景観などがコンパクトに効率よく活かされる。
【発明の効果】
都市文化が効率よく累積されて、人が快適・便利・安全に社会・地球環境・資源を持続させながら共に活きる、所有から使用に向けた都市空間が創れる。
(57)【要約】【課題】微風では回転しない。風を受ける羽の部分を、軽く、薄く、長く、大きくして、微風で回りやすくしても、強風あるいは遠心力によって壊れてしまう。風の音が煩いため、市街地での設置は好まれない。【解決手段】風除けを取り付ける。風が強いときだけ風防を広げることで、羽の受ける風圧を和らげることができるので、羽を軽く、薄く、長く、大きくすることができる。【選択図】  図３
2004332701.tif 000002
【特許請求の範囲】
【請求項１】
風量の少ない時は、風をさえぎる面積が少なく、風量の多いときは、風をさえぎる面積の増える風防をそなえる風力発電装置。
【発明の詳細な説明】
【０００１】
【発明の属する技術分野】
風力発電機
【０００２】
【従来の技術】
水平軸のプロペラ形風車や、オランダ形風車があります。
【０００３】
【発明が解決しようとする課題】
微風では回らないこと、強風時は、風を切る音がうるさいこと。
【０００４】
【課題を解決するための手段】
風の力を速度よりもトルクを捕らえようとしました。風を受ける羽の部分を広く、大きくし、さらに薄く軽くすることにより、微風であっても回わりはじめる風車にしました。
しかし、薄く軽く、広く大きくしたのでは、風力が大きくなったとき、風圧や遠心力によって壊れてしまうため、強風時には風防が広がることで風をさえぎり、強風から守ります。
【０００５】
【発明の実施の形態】
▲１▼  風を受ける部分について、縦軸を回転軸とした垂直翼により、一定方向とは限らない常に変化し、あるいは渦を巻くような風や斜め上下方向からの風も有効なエネルギー源とします。
▲２▼  風をさえぎる部分について、長ボルトをレールに見たて、レールを回転させることにより、レール上のナットを移動させることで風防を開閉し、風圧との調整をします。
▲３▼  風防を開閉するための駆動力として、小型の場合は遠心クラッチを介し回転数が上がったときにレールの回転に伝え、下がったときはスプリングコイルの慣性を利用しレールの回転を戻すことができます。
▲４▼  大型の場合には、モーターの駆動によって風防を開閉することができます。
【０００６】
【実施例】
ビルの屋上、住宅の屋上、電柱の上などへの設置による自然エネルギーの活用。
【０００７】
【発明の効果】
▲１▼  弱い回転を基本にしているため、微風でも発電をはじめることから、発電する時間が多くなり、より実用的です。
弱い風に対応する分、発電量は少ないように見られるが、大きさや設置の数で調整することができます。
▲２▼  ビル風の緩和などを目的とした風害の対策とともに、自然エネルギーを利用した発電の方法であるので、設置場所を限定することなく、市街地での電力の供給及び電力供給設備の無い区域での電力の供給を可能とし、地球温暖化対策、石油等資源の枯渇対策、原子力発電に対する依存度の軽減対策などがあり、地球環境の保護と生活環境の改善としての効果があります。
【図面の簡単な説明】
【図１】平面図
中心にある回転軸に取り付けられた羽の外側に、風防が取り付けてあります。羽はカーボン繊維シートや樹脂系フィルムなど、広く大きく薄く軽い素材を使用します。
【図２】立面図（微風時）
風防が閉じた状態。
より多くの風を受けることができます。
【図３】立面図（強風時）
風防を広げた状態。羽に対する風の当たる部分を少なくし、強風や風防を広げた状態。羽に対する風の当たる部分を少なくし、強風や遠心力による、羽の破損を防ぎます。
【図４】レールとガイドの拡大図
風防を上下させるためのひとつの方法として、長ボルトがレールとなり、ナットがレール上を移動するガイドになることで、ガイドに取り付けられた風防は、レール自体を回転させることにより、風防の位置を上下させます。
隣り合うレールの回転方向を交互に逆回転させることによって上下両方向に開いたり、閉じることができます。
【図５】機械室内平面図
回転軸に加わった力を左側の発電機に伝え、発電のエネルギーに利用します。
右側には、遠心クラッチを備え、主軸の回転が少ないときはクラッチの切れた状態でありレールを回転力させないが、回転が速いときは、クラッチをつなぐことで、レールを回転させます。この場合チェーンで伝えられる力は、ギヤーの左右を通るため、隣り合うレールは交互に逆回転することになります。
【図６】機械室内立面図
慣性シャフトに取り付けたコイルスプリングは、レールの回転力を常時伝えることにより、強風により広がった風防を、スプリングの戻ろうとする回転力で、微風時の閉じた状態に戻します。
【図１】
2004332701.tif 000003
【図２】
2004332701.tif 000004
【図３】
2004332701.tif 000005
【図４】
2004332701.tif 000006
【図５】
2004332701.tif 000007
【図６】
2004332701.tif 000008
(57)【要約】【課題】この発明は、ネジ切り加工を行わず、管の強度を損なわないで、しかも、防錆効果を減ずることなく、加工の手間やコスト的にも有利な継手を作成することである。【解決手段】本発明では、上記の課題を解決するために、管の一部に凹凸を作成し、螺旋状に変形させ、ネジ継手を開発した。【発明の効果】従来は管の端部にネジ切り加工を施すことにより、管の接続を行っていたが、このシステムを用いることにより、ネジ切り加工する必要がなく、時間的・経済的な有利性はもとより、ネジによる接続と同等の継手作業の軽敏さを有し、継手強度の向上及び耐錆被服の維持が期待でき、質のよい継手を提供できる。【選択図】図１
2004332765.tif 000002
【特許請求の範囲】
【請求項１】
素材に凹凸加工を加え、ネジ状の螺旋を外管と内管に作成し、管を接続する継手装置である。
【発明の詳細な説明】
【０００１】
【発明の属する技術分野】この発明は、管と管を接続するための継手に関する分野である。
【０００２】
【従来の技術】従来、管と管をネジで接続する場合は、管の端部をねじ切り加工しなければならず、ネジ切りは手間がかかるため、コスト高になっていた。
【０００３】このような方法は、ネジ切りした部分が薄くなるため、強度試験を行い所定の強度を保証する必要があった。
【０００４】また、管を水中や土中で使用する場合、鉄製のものではネジ継手部分の防錆をすることが難しかった。
【０００５】事例１。地すべり対策に用いる水抜集水管では、継手をネジ切り加工して接続しているが、ネジ部分は防錆加工ができないため、長期間の使用に耐えず、ネジ部分から腐蝕が進行する懸念があった。
【０００６】
【発明が解決しようとする課題】この発明は、ネジ切り加工を行わないという手法によって、継手部の強度や防錆効果を減ずることなく、コスト的にも有利な継手を作成することである。
【０００７】
【課題を解決するための手段】本発明では、上記の課題を解決するために、素材に凹凸加工を加え、ネジ状の螺旋を外管と内管に作成し管を接続する、ネジ切り加工を必要としない継手装置である。
【０００８】ネジは、内管と外管からなり、内管と外管は螺旋状の凹凸によって一体化する構造で、接続はネジと同じようにして回転挿入する。
【０００９】
【発明の実施の形態】この発明を実施する形態は図１の１内管、及び２外管に示すようなものとなっており、システムは外管２本と内管１本からなっている。
【００１０】
【実施例】本発明の実施の要領図は図４及び図５のようになっている。
【００１１】管の接続は、図３の外管に図２の内管を回転挿入したのち、もう一方の外管を内管に回転挿入する。
【００１２】
【発明の効果】従来は管の端部にネジ切り加工を施すことにより、管の接続を行っていたが、このシステムを用いることにより、ネジ切り加工する必要がなく、時間的・経済的な有利性はもとより、ネジによる接続と同等の継手作業の軽敏さを有し、継手強度の向上及び耐錆被服の維持が期待でき、質のよい継手を提供できる。
【００１３】
【図面の簡単な説明】
【図１】本発明の全体図
【図２】本発明の継手内管写真
【図３】本発明の継手外管写真
【図４】本発明の継手内管を継手外管に回転挿入したときの状態写真
【図５】本発明の継手により管を接続した状態写真
【符号の説明】
１内管
２外管
【図１】
2004332765.tif 000003
【図２】
2004332765.tif 000004
【図３】
2004332765.tif 000005
【図４】
2004332765.tif 000006
【図５】
2004332765.tif 000007